(57)【特許請求の範囲】
【請求項１】
一端部に取出口が形成され、液体を収容して前記取り出し部から注出させるようにした容器本体を有する定量注出容器において、
前記容器本体の取出口の内周面に取り付けられこの取出口を塞ぐとともに液体通路と空気通路が形成された中栓受け部材と、
前記中栓受け部材と前記容器本体の前記取出口とを覆って取り付けられ前記中栓受け部材の前記液体通路に連通する筒部と前記筒部に対して平行に形成されたガイド溝が形成されている中栓部材と、
前記中栓部材の外側に取付けられ前記中栓部材の前記ガイド溝に一部が嵌合され前記ガイド溝に沿って移動可能であり前記中栓部材の前記筒部の延長上に交差する頂面を有し前記頂面に前記筒部の延長上に一致する注出口が形成されたヘッド部材と、
前記ヘッド部材の頂面に一体に形成された凹凸部と、
前記ヘッド部材の内側で前記ヘッド部材の前記注出口に取付けられ前記中栓部材の前記筒部に移動可能に挿通された筒状の第一流路形成部材と、
前記中栓部材の内側で前記中栓部材の前記筒部に取付けられ前記第一流路形成部材が移動可能に挿通された筒状の第二流路形成部材と、
前記第一流路形成部材と前記第二流路部材の間に形成され前記第一流路形成部材が没入すると容積が減少する計量室と、
前記第二流路形成部材に連続して設けられ前記容器本体内に連通する吸込口と、
前記計量室の内側に移動可能に設けられ前記第二流路形成部材に押し付けられると前記吸込口が閉鎖する弁部材と、
前記ヘッド部材を前記容器本体に対して突出する方向に付勢する付勢手段とが設けられ、
前記ヘッド部材の頂面を下向きにして前記凹凸部を対象物に当接させて前記容器本体を下方に移動させると、前記ヘッド部材と前記第一流路形成部が没入して前記計量室に満たされていた内容物に圧力がかかり前記弁部材が前記第吸込口を閉鎖し、前記計量室から前記第一流路形成部材に内容物が移動して前記ヘッド部材の前記注出口から噴射され、噴射された内容物は前記凹凸部の間隙を通過して前記対象物表面に塗布されることを特徴とする定量注出容器。
【請求項２】
前記弁部材は、第一流路形成部材に設けられた筒状の円筒部に収容された球体であり、前記第二流路形成部材には、前記弁部材が当接するテーパ面が形成された摺動部材が嵌合していることを特徴とする請求項１記載の定量注出容器。
【請求項３】
前記ヘッド部材の頂面に形成された凹凸部は、前記ヘッド部材の前記頂部の外側面に複数個の突起が形成されて設けられていることを特徴とする請求項１記載の定量注出容器。
【請求項４】
前記吸入口は、前記容器本体の前記取出口の先端部近傍に開口されていることを特徴とする請求項１記載の定量注出容器。
【発明の詳細な説明】
【技術分野】
【０００１】
この発明は、液体の医薬品や化粧品等の流動性材料を収容する定量注出容器に関する。
【背景技術】
【０００２】
従来、液体の医薬品や化粧品の流動性材料を収容し、この流動性材料を注出して対象物に塗布する容器がある。このような容器の、流動性材料が注出される注出口の周囲にマッサージ用または塗り広げるための突起が設けられているものがあった。
【０００３】
例えば、特許文献１に開示されている粘性液状体の吐出容器は、液状体を貯留する容器本体の上端開口部に液状体を吐出する中キャップが取付けられている。中キャップは軟質合成樹脂材により成る筒状主体部と塗布部が一体に形成され、塗布部は筒状主体部の上面に形成されている。塗布部には、塗布部の上縁に凹凸条を形成した環状周壁と、この環状周壁の内面を閉鎖する吐出孔を設けた仕切壁と、この仕切壁の上面に突設される複数の棒状の突起が設けられている。
【０００４】
また、特許文献２に開示されている噴射ヘッドおよびエアゾール式噴射器は、薬剤を収容し人体のマッサージと薬液の人体への噴射を選択的にあるいは同時に行うことができるものである。この噴射ヘッドおよびエアゾール式噴射器は、頂面にマッサージ用の凹凸を有しエアゾール式噴射器の容器の口部に取付けられるヘッド本体が設けられ、ヘッド本体内には、エアゾール噴射器のステムに連通する流路形成部材と、ステムを押し込むボタンが設けられている。この噴射ヘッドおよびエアゾール式噴射器は、ヘッド本体を人体の所望する部位に当ててマッサージを行い、次にボタンを押して薬剤を噴射させて人体に塗布することができる。
【０００５】
また、特許文献３に開示されている塗布栓は、シール性を高めて液漏れを防止し、塗布体の下降を規制可能なロック機構を有し、さらに頭皮へのマッサージ効果を高くしたものである。この塗布栓は、容器本体の口筒部に密にかつ不動に組み付く塗布栓本体と、該塗布栓本体に対して昇降及び回動変位可能に組み付く有頂円筒状の塗布体と、塗布体本体と塗布体の間に介在されたスプリングが設けられている。前記塗布栓本体にはロックエリアと昇降エリアのロック部を形成し、塗布体にはロック部と組み合わされる規制片が設けられている。塗布体の天面中央部には吐出孔が形成され、天面下面には吐出口を囲む内筒が垂下設され、内筒にはピストンが設けられている。塗布体の天面の上面には、半球形状のマッサージ用突起が複数個設けられている。この塗布栓は、塗布体が移動しないようにロックした状態で塗布体のマッサージ用突起を人体に当ててマッサージを行い、ロックを解除した状態で塗布体をスプリングに抗して下降させるとピストンが下降して塗布体本体との間に間隙が形成され、薬液が吐出されるものである。
【０００６】
また、収容している液体を一回の使用量に計量して注出量を一定化する定量注出容器もあった。例えば、本願発明者による特許文献４に開示されている定量注出容器は、容器本体の取出口に取り付けられ透孔が形成された中栓と、中栓に取り付けられ挿通孔が形成されている計量筒部材と、計量筒部材の挿通孔に移動可能に設けられている弁部材が設けられている。弁部材は、中栓を閉鎖する第一弁と、計量筒部材を閉鎖する第二弁が設けられ、第二弁が計量筒部材を閉じているとき容器本体に収容された液体が計量筒部材に流れ、弁部材を移動させて第一弁が中栓を閉じ第二弁が計量筒部材を開いたとき計量筒部材で計量された液体が注出可能となるものである。
【特許文献１】特開平１１−１０００７７号公報
【特許文献２】特開２００３−２９０６８８号公報
【特許文献３】特開２００５−１０４５４４号公報
【特許文献４】特開２００２−３３７９１０号公報
【発明の開示】
【発明が解決しようとする課題】
【０００７】
上記特許文献１〜３場合、注出される粘性液状体や薬液の量は一定では無く、正確な量を注出することができず、多すぎたり少なすぎたりして、適切な量での使用が難しいものであった。特に育毛剤等は多量に使用しても効果が変わらず、高価なことから、もったいない場合がある。また、特許文献４の場合、薬液を一定量取り出すことはできるが、薬液は滴になって一箇所から注出されるため、対象物に広い面積で均等に塗布することは難しかった。また育毛剤の場合は薬液の多くが滴になって毛髪に付着し、頭皮に届く割合が低くなるものであった。
【０００８】
この発明は、上記背景技術の問題点に鑑みてなされたものであり、一定量の液体の内容物を噴出して対象物に広い面積で均等に塗布することができる定量注出容器を提供することを目的とする。
【課題を解決するための手段】
【０００９】
本発明は、一端部に取出口が形成され、液体を収容して前記取り出し部から注出させるようにした容器本体を有する定量注出容器であって、前記容器本体の取出口の内周面に取り付けられこの取出口を塞ぐとともに液体通路と空気通路が形成されている中栓受け部材と、前記中栓受け部材と前記容器本体の前記取出口を覆って取り付けられ前記中栓受け部材の前記液体通路に連通する筒部と前記筒部に対して平行に形成されたガイド溝が形成されている中栓部材と、前記中栓部材の外側に取付けられ前記中栓部材の前記ガイド溝に一部が嵌合され前記ガイド溝に沿って移動可能であり前記中栓部材の前記筒部の延長上に交差する頂面を有し前記頂面に前記筒部の延長上に一致する注出口が形成されたヘッド部材と、前記ヘッド部材の頂面に一体に形成された凹凸部と、前記ヘッド部材の内側で前記ヘッド部材の前記注出口に取付けられ前記中栓部材の前記筒部に移動可能に挿通された筒状の第一流路形成部材と、前記中栓部材の内側で前記中栓部材の前記筒部に取付けられ前記第一流路形成部材が移動可能に挿通された筒状の第二流路形成部材と、前記第一流路形成部材と前記第二流路部材の間に形成され前記第一流路形成部材が没入すると容積が減少する計量室と、前記第二流路形成部材に連続して設けられ前記容器本体内に連通する吸込口と、前記計量室の内側に移動可能に設けられ前記第二流路形成部材に押し付けられると前記吸込口が閉鎖する弁部材と、前記ヘッド部材を前記容器本体に対して突出する方向に付勢する付勢手段とが設けられている定量注出容器である。この定量注出容器は、前記ヘッド部材の頂面を下向きにして前記凹凸部を対象物に当接させて前記容器本体を下方に移動させると、前記ヘッド部材と前記第一流路形成部が没入して前記計量室に満たされていた内容物に圧力がかかり前記弁部材が前記第吸込口を閉鎖し、前記計量室から前記第一流路形成部材に内容物が移動して前記ヘッド部材の前記注出口から噴射され、噴射された内容物は前記凹凸部の間隙を通過して前記対象物表面に塗布されるものである。
【００１０】
また、前記弁部材は、第一流路形成部材に設けられた筒状の円筒部に収容された球体であり、前記第二流路形成部材には前記弁部材が当接するテーパ面が形成された摺動部材が嵌合している。また、前記ヘッド部材の頂面に形成された凹凸部は、前記ヘッド部材の前記頂部の外側面に複数個の突起が形成されて設けられている。また、前記吸入口は、前記容器本体の前記取出口の先端部近傍に開口されている。
【発明の効果】
【００１１】
本発明の定量注出容器は、収容している液体を一回分の使用量に計量して注出量を一定化し、一定量の液体の内容物を噴出して対象物に均等に広く塗布することができるものである。さらに、一定量の液体の内容物が噴射されるため、取り出した量を把握して使用方法を守ることも容易となる。
【発明を実施するための最良の形態】
【００１２】
以下、この発明の実施形態について図面に基づいて説明する。図１〜図３はこの発明の一実施形態を示すもので、この実施形態の定量注出容器１０は、有底筒状の容器本体１２を有し、容器本体１２は比較的硬い合成樹脂で作られている。容器本体１２の上端部には、径が小さい円筒状の取出口１４が一体に形成され、取出口１４の外側面には、雄ネジ１６が形成されている。
【００１３】
取出口１４の端面には、中栓受け部材１８が取り付けられている。中栓受け部材１８は、取出口１４の端面に載せられて取出口１４を塞ぐ仕切壁部２０が設けられ、仕切壁部２０の中央には液体通路２２が形成されている。液体通路２２は、仕切壁部２０を貫通する大きい内径の円筒形であり容器本体１２の内側へ向かって突出している。液体通路２２の横の仕切壁部２０には、空気通路２４が形成されている。空気通路２４は仕切壁部２０を貫通する小さい内形の円筒形であり容器本体１２の内側へ向かって液体通路２２よりも長く容器本体１２内へ突出している。
【００１４】
容器本体１２の取出口１４の外側には、中栓受け部材１８を覆って中栓部材２６が取付けられている。中栓部材２６には、取出口１４の外側を覆う円筒状の側面部２８が設けられ、側面部２８の内周面には取出口１４の雄ネジ１６に螺合される雌ネジ３０が形成されている。側面部２８の外周面には、滑り止め用の凹凸が形成されても良い。側面部２８の上端部には、中栓受け部材１８の仕切壁部２０に重ねられる板状の押え部３２が設けられ、押え部３２の中央には中栓受け部材１８の液体通路２２に連通する円筒部３４が設けられている。円筒部３４には、液体通路２２よりも少し大きい内径で少し長い筒状の外側面３４ａが容器本体１２の外側へ突出して設けられ、外側面３４ａの上端部には外側面３４ａの内側へ向かう上面３４ｂが一定幅で一周して形成され、上面３４ｂの内側端部には外側面３４ａと平行で径が小さい内側面３４ｃが形成され、内側面３４ｃの下端部は押え部３２近傍に達している。外側面３４ａの、内側面３４ｃに対向する内周面には突起３６が一周して設けられている。
【００１５】
中栓部材２６の押え部３２には、円筒部３４の外側を囲んで、ガイド壁部３８が設けられている。ガイド壁部３８は、容器本体１２の外側へ突出する円筒形であり、円筒部３４よりも少し高く設けられている。ガイド壁部３８と円筒部３４の間の空間は、後述するヘッド部材４４が突没可能に差し込まれるガイド溝４０となる。ガイド壁部３８の外周面には、後述するキャップ１１０が係止される凹部４２が設けられている。
【００１６】
中栓部材２６の円筒部３４内側には、第一流路形成部材５６が設けられている。第一流路形成部材５６は、中栓部材２６の円筒部３４内側面３４ｃに摺動可能に差し込まれる円筒部５８が設けられ、円筒部５８の上端部５８ａは、円筒部３４上面３４ｂの上方に突出し、後述するヘッド部材４４の注出口５０に嵌合される。円筒部５８の下端部５８ｂは、中栓部材２６の円筒部３４の下方に突出し、中栓受け部材１８の液体通路２２を通過してわずかに下方に突出している。円筒部５８の途中の、中栓部材２６の円筒部３４上面３４ｂ付近には、内径が小さくなる狭窄部６０が形成されている。円筒部５８の下端部５８ｂ付近には、外周面から外側に突出する弁部６２が一周して形成されている。
【００１７】
第一流路形成部材５６の、容器本体１２の内側には、第二流路形成部材６４が設けられている。第二流路形成部材６４は、第一流路形成部材５６の弁部６２が密着する大径円筒部６６と、大径円筒部６６の下端部６６ｂに連続し大径円筒部６６よりも径が小さい小径円筒部６８が形成されている。
【００１８】
大径円筒部６６の上端部６６ａは、中栓部材２６の円筒部３４の、外側面３４ａ、上面３４ｂ、内側面３４ｃでコの字形に囲まれ下方に開口する空間に差し込まれている。大径円筒部６６の上端部６６ａの外周面には突起７０が一周して設けられている。突起７０は、中栓部材２６の円筒部３４外側面３４ａに形成されている突起３６に係止され、抜け落ちないように係止されている。大径円筒部６６の下端部６６ｂは、中栓部材２６の円筒部３４から下方に延出し、中栓受け部材１８の液体通路２２に嵌合されて下方に延出している。大径円筒部６６の内周面は、第一流路形成部材５６の弁部６２が摺動可能に密着している。
【００１９】
小径円筒部６８の上端部６８ａは、大径円筒部６６の下端部６６ｂに差し込まれ、段部となって一体に成形されている。小径円筒部６８の下端部６８ｂは、容器本体１２の取出口１４を通過して容器本体１２の内側に達している。小径円筒部６８の下端部６８ｂには、小径円筒部６８の内側に突出する底面７２が一定幅で一周して形成され、底面７２の内側端部には小径円筒部６８と平行で径が小さい内側面７４が形成され、内側面７４の上端部は、小径円筒部６８の中間よりもやや下端部６８ｂに近い位置に達している。
【００２０】
第一流路形成部材５６の円筒部５８には、狭窄部６０よりも下端部５８ｂ側の内側空間に、嵌合部材７６が設けられている。嵌合部材７６は、円筒部５８に僅かな間隙を有して嵌合される円柱部７８が形成され、円柱部７８の上端部７８ａは円錐形となり狭窄部６０の内側に差し込まれている。円柱部７８の下端部７８ｂは、第一流路形成部材５６の円筒部５８下端部５８ｂからわずかに下方に突出し、下方に広がるテーパ部８０が形成され、さらにテーパ部８０には円柱部７８よりも径が大きい円筒部８２が連続して形成されている。テーパ部８０には、テーパ部８０を内外に貫通する透孔８４が形成されている。円筒部８２の下端部８２ｂは、第二流路形成部材６４の小径円筒部６８上端部６８ａに差し込まれて達している。円筒部８２と、第二流路形成部材６４の大径円筒部６６との間には空間ができ、この空間は後述する薬液１１４が満たされて計量される計量室８６となる。
【００２１】
嵌合部材７６の下方には、摺動部材８８が設けられている。摺動部材８８は、第二流路形成部材６４の小径円筒部６８の内側に嵌合して嵌合部材７６と一体的に摺動可能に取り付けられている。摺動部材８８は、小径円筒部６８よりも径が小さい円筒部９０が形成され、円筒部９０の上端部９０ａは、小径円筒部６８の上端部６８ａから上方に突出し、嵌合部材７６の円筒部８２下端部８２ｂ内側に密着して差し込まれている。円筒部９０の上端部９０ａの内側は、後述する球体弁９６が密着するように外側へ開くテーパ面９１が一周して形成されている。円筒部９０の途中には、円筒部９０の外周面から外側に突出し第二流路形成部材６４の小径円筒部６８内側に摺動可能に密接する弁部９２が一周して形成されている。弁部９２の、円筒部９０上端部９０ａ側の端面には溝部９４が一周して形成され、溝部９４には、嵌合部材７６の円筒部８２下端部８２ｂが密着して差し込まれている。
【００２２】
嵌合部材７６の円筒部８２と、摺動部材８８の円筒部９０で囲まれた空間には、球体弁９６が入れられている。球体弁９６は自由に動き、円筒部９０のテーパ面９１に密着すると円筒部９０が閉鎖されるものである。
【００２３】
摺動部材８８の下方には、第二流路形成部材６４の小径円筒部６８の内側に沿って、付勢手段であるスプリング９８が設けられている。スプリング９８は圧縮された状態で取付けられ、スプリング９８の上端部は、摺動部材８８の円筒部９０を巻き回して弁部９２に当接し、スプリング９８の下端部は、第二流路形成部材６４の小径円筒部６８の内側面７４を巻き回し底面７２に当接している。スプリング９８により摺動部材８８は容器本体１２の外側に向かって付勢され、嵌合部材７６と第一流路形成部材５６も同時に付勢され、第一流路形成部材５６の弁部６２が、中栓部材２６の円筒部３４内側面３４ｃに当接して抜け落ちを防止している。
【００２４】
第二流路形成部材６４の小径円筒部６８下端部６８ｂには、連結部材１００を介して吸入口１０２が設けられている。連結部材１００は、第二流路形成部材６４の小径円筒部６８下端部６８ｂに嵌めるキャップ状に形成され、小径円筒部６８下端部６８ｂが差し込まれる空間１０４と、吸入口１０２の下端部１０２ｂが差し込まれる空間１０６が互いに平行に開口されて形成され、空間１０４と空間１０６は通路１０８で連通されている。吸入口１０２は細長い円筒状に形成され、吸入口１０２の下端部１０２ｂは連結部材１００の空間１０６に差し込まれ、吸入口１０２の上端部１０２ａは容器本体１２の取出口１４内側を上方へ延出し、中栓受け部材１８の仕切壁部２０近傍に達している。吸入口１０２は、上端部１０２ａに近づくにつれて径が細くなっている。なお、連結部材１００は複数の部材が組み合わされて構成されても良い。
【００２５】
中栓部材２６の、容器本体１２の外側には、柔軟な樹脂で作られたヘッド部材４４が設けられている。ヘッド部材４４は、中栓部材２６のガイド溝４０に移動可能に差し込まれる円筒状の側面部４６が設けられ、側面部４６はガイド溝４０の深さ方向に移動可能であり、ガイド溝４０の深さよりも長く形成されている。側面部４６の上端部には、側面部４６を閉鎖する頂面４８が設けられている。頂面４８はやや肉厚に形成され、頂面４８の中心には、注出口５０が頂面４８を貫通して形成され、注出口５０の途中には頂面４８側が細くなる段部５４が設けられている。注出口５０の段部５４よりも容器本体１２内側に近い部分は、第一流路形成部材５６の円筒部５８が密着して差し込まれる内径に形成されている。頂面４８の外側面には、凹凸部を形成する複数個の突起５２が全面にほぼ等間隔で一体に形成されている。
【００２６】
中栓部材２６の外側には、キャップ１１０が着脱可能に設けられている。キャップ１１０は、中栓部材２６のガイド壁部３８からヘッド部材４４を覆う円筒形の側面１１０ａを有し、側面１１０ａの上端部には、円形の上面部１１０ｂが設けられている。側面１１０ａの内周面には、中栓部材２６のガイド壁部３８に形成された凹部４２に係止される凸部１１２が形成されている。
【００２７】
次に、この実施形態の定量注出容器１０の使用方法について説明する。容器本体１２に育毛剤等の薬液１１４を収容し、容器本体１２の取出口１４に、中栓受け部材１８、中栓部材２６、第一流路形成部材５６、第二流路形成部材６４、嵌合部材７６、摺動部材８８、弁部材である球体弁９６、スプリング９８、連結部材１００、吸入口１０２を組み立てて取付ける。そして、第一流路形成部材５６の円筒部５８にヘッド部材４４を取付ける。ヘッド部材４４は柔軟な樹脂で作られているため、第一流路形成部材５６の円筒部５８をヘッド部材４４の注出口５０に差し込むと、密着して適度な力で係止される。第一流路形成部材５６の円筒部５８は、ヘッド部材４４の注出口５０段部５４に当接させ、位置決めする。さらに中栓部材２６に、ヘッド部材４４を覆ってキャップ１１０を取り付ける。
【００２８】
容器本体１２から収容物である薬液１１４を取り出して使用するときは、まずキャップ１１０を外し、容器本体１２を逆さまにする。この状態ではまだ薬液１１４が計量室８６に計量されておらず、薬液１１４が注出されない。
【００２９】
図２に示すようにヘッド部材４４を逆さまにして対象物１１６に当てて、容器本体１２を、下がりきる位置まで、つまり第一流路形成部材５６の弁部６２が第二流路形成部材６４の小径円筒部６８上端部６８ａに当接するまで、押し下げる。次に容器本体１２を離すとき、容器本体１２内が減圧となり、図２（ｂ）に示すように、ヘッド部材４４と中栓受け部材１８、第一流路形成部材５６、第二流路形成部材６４の間の隙間から外気が流入し、中栓受け部材１８の空気通路２４から容器本体１２内に入る。このとき、容器本体１２は逆さまにされているため、吸入口１０２から薬液１１４が流れ込み、連結部材１００、第二流路形成部材６４、摺動部材８８に流れ、摺動部材８８の透孔８４を通過して計量室８６に満たされて計量される。このとき、球体弁９６は摺動部材８８のテーパ面９１から離れて円筒部９０を開放し、薬液１１４が、第二流路形成部材６４から摺動部材８８に、円滑に流れる。
【００３０】
そして、図２（ａ）に示すように容器本体１２を再び押し下げると、計量室８６が第一流路形成部材５６により縮小されるため、計量室８６内の圧力が高くなり、球体弁９６は摺動部材８８のテーパ面９１に押し付けられて閉鎖され、薬液１１４は新たに流入しない。そして計量室８６内の薬液１１４は、嵌合部材７６の円柱部７８と、第一流路形成部材５６の円筒部５８の隙間に押出されて狭窄部６０を通過し、円筒部５８の上端部５８ａ付近まで押出される。これを繰り返すと、流路内の空気が薬液１１４で置換され満たされる。薬液１１４で流路が満たされると、容器本体１２を一回押すたびに、計量室８６の薬液１１４が押出され、円筒部５８の上端部５８ａ付近に満たされている薬液１１４が、ヘッド部材４４の注出口５０から計量室８６と同じ容量だけ噴射される。噴射された薬液１１４は、ヘッド部材４４の突起５２の間隙を通過して、対象物１１６に広い面積で均一に塗布される。
【００３１】
この実施形態の定量注出容器１０によれば、簡単な操作で、確実に一定量の薬液を噴出して、正確な使用量で使用することができる。定量注出容器１０は、ポンプ式ディスペンサであるため、ワンプッシュごとに一定量の薬液１１４が分出され、便利である。キャップ１１０を外してヘッド部材４４を対象物１１６に押し付けるだけで、一定量の薬液１１４を簡単に塗布することができる。ヘッド部材４４を押し付ける回数によって、使用量を適宜調整することができる。
【００３２】
薬液１１４は高い圧力で噴出し、突起５２の隙間に効率よく分散されるため、対象物１１６に広い面積で均一に塗布することができる。離れた位置から薬液１１４を噴射するのではなく、ヘッド部材４４を直接対象物１１６に押し当てて噴射するので、狙った部分にしっかりと塗布することができる。薬液１１４が育毛剤の場合、毛髪があっても毛髪に付着する分を少なくして無駄をなくし、確実に対象物１１６である頭皮に広い面積で均一に塗布することができる。
【００３３】
また、突起５２を対象物１１６である頭皮に押し当てて移動させたり力の強さを変化させることで、頭皮をマッサージすることができ、薬液１１４の効果を高めることができる。ヘッド部材４４は柔軟素材で作られているため、頭皮に適度な柔らかさで心地よくマッサージすることができる。
【００３４】
吸入口１０２は、中栓受け部材１８の仕切壁部２０近傍に開口されているため、定量注出容器１０を逆さにして薬液１１４を注出するとき、残り少なくなった薬液１１４が仕切壁部２０に溜まり最後まで吸い込んで注出することができ、無駄が無く経済的である。
【００３５】
なお、この実施形態の定量注出容器１０は、ヘッド部材４４の形状が異なるものでも良い。例えば図４に示すヘッド部材１１８は、側面部１２０と頂面１２２が設けられ、頂面１２２の中心には注出口１２４が設けられ、注出口１２４の周囲には同心円状の円形溝部１２６が一周して形成されている。さらに注出口１２４と円形溝部１２６の間には放射状の直線溝部１２８が形成され、直線溝部１２８は８本が互いに円形溝部１２６の円周に沿って等間隔に形成されている。円形溝部１２６の外側にも、放射状の直線溝部１３０が形成されている。直線溝部１３０は８本形成され、一対の直線溝部１２８の間にそれぞれ位置するようにずれて形成されている。
【００３６】
このヘッド部材１１８によっても、注出口１２４から噴射された薬液１１４は、直線溝部１２８と円形溝部１２６、直線溝部１３０を通過して広がり、対象物１１６に広い面積で均一に塗布することができる。
【００３７】
なお、この発明の定量注出容器は上記実施形態に限定されるものではなく、素材や形状、各部材の形状等も自由に変更可能である。また、用途は薬品や化粧品、その他液体を収容して一定量を取り出すものであればよく、上記実施形態には限定されない。
【図面の簡単な説明】
【００３８】
【図１】この発明の一実施形態の定量注出容器の縦断面図である。
【図２】この実施形態の定量注出容器の注出時の縦断面図（ａ）と、注出後の縦断面図（ｂ）である。
【図３】この実施形態の定量注出容器の斜視図である。
【図４】この実施形態の定量注出容器の変形例を示す斜視図である。
【符号の説明】
【００３９】
１０  定量注出容器
１２  容器本体
１４  取出口
１８  中栓受け部材
２０  仕切壁部
２２  液体通路
２４  空気通路
２６  中栓部材
３４  円筒部
４０  ガイド溝
４４  ヘッド部材
５０  注出口
５２  突起
５６  第一流路形成部材
６４  第二流路形成部材
７６  嵌合部材
８２  円筒部
８６  計量室
８８  摺動部材
９６  球体弁
９８  スプリング
１００  連結部材
１０２  吸入口
１１０  キャップ
【図１】
0005102690.tif 000002
【図２】
0005102690.tif 000003
【図３】
0005102690.tif 000004
【図４】
0005102690.tif 000005